(57)【要約】【課題】寝床本体に枕部を取り付けることにより、ペットが寝そべっている状態で頭部を楽な姿勢で枕部に乗せることができ、ペットが心地好く睡眠したり休息できるペット用の寝床を提供する。【解決手段】本発明に係るペット用の寝床は、床面部１と周壁部２によりペットＰが寝そべる寝床本体３を構成し、ペットＰが寝床本体３に寝そべっている状態で、ペットＰが楽な姿勢で頭部を乗せられる枕部６を寝床本体３に取り付けてある。また、寝床本体３は、床面部１の上にクッション部材５を備え、枕部６は、ペットＰがクッション部材５に寝そべっている状態のクッション部材５の座面よりも高くなる厚みＨを備えるように形成されている。【選択図】図５
2005323553.tif 000002
【特許請求の範囲】
【請求項１】
床面部によりペットが寝そべる寝床本体を構成し、ペットが寝床本体に寝そべっている状態で、ペットが楽な姿勢で頭部を乗せられる枕部を寝床本体に着脱自在に取り付けたことを特徴とするペット用の寝床。
【請求項２】
床面部と周壁部によりペットが寝そべる寝床本体を構成し、ペットが寝床本体に寝そべっている状態で、ペットが楽な姿勢で頭部を乗せられる枕部を寝床本体に取り付けたことを特徴とするペット用の寝床。
【請求項３】
寝床本体の周壁部に、ペットの出入りを可能とする開放部を設け、この開放部の位置に、ペットが寝床本体に寝そべっている状態で、ペットが楽な姿勢で頭部を乗せられる枕部を取り付けた請求項２に記載のペット用の寝床。
【請求項４】
枕部は、ペットが寝床本体に寝そべっている状態の床面部の座面よりも高くなる厚みを備えるように形成され、ペットが楽な姿勢で枕部に頭部を乗せられる請求項１乃至３のいずれかに記載のペット用の寝床。
【請求項５】
寝床本体は、床面部の上にクッション部材を備え、枕部は、ペットがクッション部材に寝そべっている状態のクッション部材の座面よりも高くなる厚みを備えるように形成され、ペットが楽な姿勢で枕部に頭部を乗せられる請求項１乃至４のいずれかに記載のペット用の寝床。
【請求項６】
ペットが寝床本体に寝そべっている状態で、ペットが楽な姿勢で頭部を乗せられる枕部を、寝床本体に着脱自在に取り付けた請求項２乃至５のいずれかに記載のペット用の寝床。
【請求項７】
寝床本体は、ペットが寝床本体に寝そべっている状態の寝床本体内の空間を閉じる屋根部材を備えている請求項１乃至６のいずれかに記載のペット用の寝床。
【請求項８】
開放部を設けた周壁部と床面部によりペットが寝そべる寝床本体を構成し、ペットが寝床本体に寝そべっている状態の寝床本体内の空間を閉じる屋根部材を周壁部に取り付け、寝床本体の開放部の位置に、ペットが寝床本体に寝そべっている状態で寝床本体の開放部からペットが頭部を出して乗せる枕部を取り付け、この枕部は、ペットが寝床本体に寝そべっている状態の床面部の座面よりも高くなる厚みを備えるように形成され、寝床本体に寝そべっている状態のペットが楽な姿勢で枕部に頭部を乗せられることを特徴とするペット用の寝床。
【発明の詳細な説明】
【技術分野】
【０００１】
本発明は、主として屋内で飼われる、例えば、犬や猫等のペットが使用するペット用の寝床に関するものである。
【背景技術】
【０００２】
従来より、犬や猫等のペットが使用するペット用の寝床として、種々の構成のものが提案されている。
【０００３】
このペット用の寝床は、例えば、特許文献１に開示されているように、水平面が小判状の円筒になるように発泡ウレタンを加工し、前面を滑らかに切り欠いて成るベッド基体１００にカバーを掛け、ベッド面にデザインマットを敷いた構成のものが提案されている。
【特許文献１】実用新案登録第３０１９６８２号公報（図６参照）
【発明の開示】
【発明が解決しようとする課題】
【０００４】
しかしながら、このような従来のペット用の寝床は、犬や猫等のペットＰに一般的に認められる行動様式であるペットＰの習性を全く考慮していないものである。
【０００５】
例えば、犬や猫等のペットＰは、頭部を若干持ち上げた状態で寝ることが多い。犬や猫等のペットＰが、床においてあるクッションや本等を枕として用い、このクッションや本等の上に頭部を乗せて寝ている様子は、日常的に良く見られる光景である。
【０００６】
そして、上述した従来のペット用の寝床を使用すると、図６（ａ）・（ｂ）に示すように、ベッド基体１００の切り欠き部分１０１にペットＰの頭部を乗せることとなるが、切り欠き部分１０１の載置面が非常に狭く形成されているため、頭部の荷重が載置面に当接している顎周辺部に集中的にかかり、ペットＰに不快感や苦痛を与える状態となっていた。
【０００７】
また、犬等は、臭覚や聴覚が非常に優れており、外部環境における臭いや音を常に把握しようとする習性がある。従って、犬小屋等の閉ざされた空間内に寝そべっているときであっても、頭部のみを犬小屋等の外に位置させることが非常に多い。
【０００８】
このとき、犬小屋等の寝床部分が従来のペット用の寝床のように構成されていると、頭部の荷重が載置面に当接している顎周辺部に集中的にかかり、ペットＰに不快感や苦痛を与える状態となってしまうため、ペットＰがリラックスした状態で休息できないという弊害が生じていた。
【０００９】
そこで、本発明は叙上のような従来存した問題点に鑑み創出されたもので、寝床本体に枕部を取り付けることにより、ペットが寝そべっている状態で頭部を楽な姿勢で枕部に乗せることができ、ペットが心地好く睡眠したり休息できるペット用の寝床を提供することを目的とする。
【課題を解決するための手段】
【００１０】
上述した目的を達成するため、本発明に係るペット用の寝床は、床面部によりペットが寝そべる寝床本体を構成し、ペットが寝床本体に寝そべっている状態で、ペットが楽な姿勢で頭部を乗せられる枕部を寝床本体に着脱自在に取り付けたことで、上述した課題を解決した。
【００１１】
また、床面部と周壁部によりペットが寝そべる寝床本体を構成し、ペットが寝床本体に寝そべっている状態で、ペットが楽な姿勢で頭部を乗せられる枕部を寝床本体に取り付けたことで、同じく上述した課題を解決した。
【００１２】
さらに、寝床本体の周壁部に、ペットの出入りを可能とする開放部を設け、この開放部の位置に、ペットが寝床本体に寝そべっている状態で、ペットが楽な姿勢で頭部を乗せられる枕部を取り付けたことで、同じく上述した課題を解決した。
【００１３】
また、枕部は、ペットが寝床本体に寝そべっている状態の床面部の座面よりも高くなる厚みを備えるように形成され、ペットが楽な姿勢で枕部に頭部を乗せられることで、同じく上述した課題を解決した。
【００１４】
加えて、寝床本体は、床面部の上にクッション部材を備え、枕部は、ペットがクッション部材に寝そべっている状態のクッション部材の座面よりも高くなる厚みを備えるように形成され、ペットが楽な姿勢で枕部に頭部を乗せられることで、同じく上述した課題を解決した。
【００１５】
また、ペットが寝床本体に寝そべっている状態で、ペットが楽な姿勢で頭部を乗せられる枕部を、寝床本体に着脱自在に取り付けたことで、同じく上述した課題を解決した。
【００１６】
この他、寝床本体は、ペットが寝床本体に寝そべっている状態の寝床本体内の空間を閉じる屋根部材を備えていることで、同じく上述した課題を解決した。
【００１７】
また、開放部を設けた周壁部と床面部によりペットが寝そべる寝床本体を構成し、ペットが寝床本体に寝そべっている状態の寝床本体内の空間を閉じる屋根部材を周壁部に取り付け、寝床本体の開放部の位置に、ペットが寝床本体に寝そべっている状態で寝床本体の開放部からペットが頭部を出して乗せる枕部を取り付け、この枕部は、ペットが寝床本体に寝そべっている状態の床面部の座面よりも高くなる厚みを備えるように形成され、寝床本体に寝そべっている状態のペットが楽な姿勢で枕部に頭部を乗せられることで、同じく上述した課題を解決した。
【発明の効果】
【００１８】
本発明に係るペット用の寝床は、床面部１によりペットＰが寝そべる寝床本体３を構成し、ペットＰが寝床本体３に寝そべっている状態で、ペットＰが楽な姿勢で頭部を乗せられる枕部６を寝床本体３に取り付けたことから、ペットＰがリラックスした状態で心地好く休息できる。
【００１９】
また、枕部６を着脱自在に寝床本体３に取り付けたことから、寝床本体３を使用しないときに、枕部６を取り外して寝床本体３をコンパクトに収納することが可能であり、その持ち運びも容易となる。
【００２０】
さらに、床面部１と周壁部２によりペットＰが寝そべる寝床本体３を構成したときには、寝床本体３を周壁部２により取り囲んで外部の騒音や明るさを若干遮った状態となるため、ペットＰがリラックスした状態で心地好く休息できる。
【００２１】
また、寝床本体３の周壁部２に、ペットＰの出入りを可能とする開放部４を設けたときには、寝床本体３を周壁部２により取り囲んで外部の騒音や明るさを若干遮った状態において、開放部４からのペットＰの出入が極めて容易となる。そして、寝床本体３の開放部４の位置に枕部６を取り付けてあるため、ペットＰが床面部１に寝そべっている状態で開放部４から頭部を出し、楽な姿勢で頭部を枕部６に乗せることができる。
【００２２】
加えて、枕部６は、ペットＰが寝床本体３に寝そべっている状態の床面部１の座面よりも高くなる厚みＨを備えるように形成されているため、ペットＰが楽な姿勢で枕部６に頭部を乗せることができる。
【００２３】
また、寝床本体３が、床面部１の上にクッション部材５を備えているときは、ペットＰがクッション部材５の上に心地好く寝そべることができる。このとき、枕部６は、ペットＰがクッション部材５に寝そべっている状態のクッション部材５の座面よりも高くなる厚みＨを備えるように形成されているため、ペットＰが楽な姿勢で枕部６に頭部を乗せることができる。
【００２４】
すなわち、ペットＰがクッション部材５に寝そべっている状態で、首を伸ばした休息時における自然な姿勢を維持しながらペットＰの顎周辺部を枕部６に乗せることができるのである。その結果、ペットＰの顎周辺部に、極めて少ない面積で周壁部２の一部が当接するような事態の発生を確実に阻止し、ペットＰの顎周辺部の特定箇所のみに頭部の荷重が集中的にかかる不快感や苦痛を排除することができる。また、ペットＰの首部分が不自然に下向きとなって、ペットＰに不快感や苦痛を与えることもない。
【００２５】
さらに、寝床本体３は、ペットＰが寝床本体３に寝そべっている状態の寝床本体３内の空間を閉じる屋根部材７を備えているため、床面部１を周壁部２と屋根部材７により取り囲んで、外部の騒音や明るさを遮った状態の空間内にペットＰが寝そべることができ、ペットＰが極めてリラックスした状態で心地好く休息できる。
【００２６】
そして、犬等のペットＰは、臭覚や聴覚が非常に優れており、外部環境における臭いや音を常に把握しようとする習性があることから、寝床本体３の閉ざされた空間内に寝そべっているときであっても、頭部のみを寝床本体３の外に置くことが非常に多い。
【００２７】
本発明に係るペット用の寝床は、犬や猫等のペットＰに一般的に認められる行動様式であるペットＰの習性を考慮したもので、犬等の体を寝床本体３に横たえた状態で、頭部のみを寝床本体３の外に出し、枕部６の上に頭部を乗せて、ペットＰが極めてリラックスした状態で心地好く休息できるのである。
【発明を実施するための最良の形態】
【００２８】
以下に、本発明を実施するための最良の形態を、図面を参照して説明する。本発明は、例えば、犬や猫等の小動物が使用するペット用の寝床である。このペット用の寝床は、図１・図２に示すように、床面部１と周壁部２により、ペットＰが寝そべって休息する寝床本体３を構成している。この寝床本体３の周壁部２には、ペットＰの出入りを可能とするため、周壁部２を略Ｕ字形に切り欠いて開放部４を設けている。
【００２９】
そして、寝床本体３を構成する床面部１には、図１・図２に示すように、クッション部材５が載置されている。また、寝床本体３の周壁部２における開放部４が設けられている位置の外側には、枕部６が取り付けられている。さらに、寝床本体３を構成する周壁部２における上方開口部には、屋根部材７が取り付けられている。
【００３０】
寝床本体３は、図２・図３に示すように、例えば、ポリエステル製等の外カバー８内に、筒状に形成されたウレタンフォーム等の芯材９を封入して、全体が有底円筒状となるように形成されている。
【００３１】
尚、寝床本体３に開放部４を設けるため、周壁部２を構成する外カバー８と芯材９の一部が、凹状に切り欠かれている。
【００３２】
外カバー８は、図２・図３に示すように、外周布１０と内周布１１が、所定幅の帯片１２を介して縫い付けられて形成されている。また、内周布１１の下縁部には、床面布１３が縫い付けられている。この床面布１３の周囲には、雄ファスナー１４（１５）が付設されている。また、外周布１０の下縁部には、雌ファスナー１５（１４）が付設されている。このようなファスナー構造により、外カバー８の下縁部を開放したり、閉鎖するものである。また、外周布１０と内周布１１を帯片１２を介して縫い付けているため、外周布１０と内周布１１の間に、円筒状の空間部１６が形成されている。そして、床面布１３の雄ファスナー１４（１５）と、外周布１０の雌ファスナー１５（１４）を外して、外周布１０と内周布１１により形成された空間部１６に、筒状に形成された芯材９を挿入し、床面布１３の雄ファスナー１４（１５）と外周布１０の雌ファスナー１５（１４）を噛み合わせるのである。
【００３３】
その結果、寝床本体３の床面部１が、床面布１３により形成されることとなる。また、寝床本体３の周壁部２は、外カバー８を構成する外周布１０・内周布１１・帯片１２と、外周布１０と内周布１１の間の空間部１６に挿入された芯材９により形成されることとなる。
【００３４】
尚、図に示す寝床本体３は、床面部１と周壁部２により構成されているが、この構成に限定されることはない。例えば、寝床本体３を、所定の窪みを備えた床面部１のみにより構成しても差し支えない。また、寝床本体３を、所定の広さを備えたホットカーペットやタオル、板材等により構成しても差し支えない。さらに、図に示す床面部１や周壁部２は、円形に構成されているが、この構成に限定されることはない。例えば、床面部１や周壁部２を四角形とする等、ペットＰが心地好く寝そべることができれば、床面部１や周壁部２をどのような形状にしても差し支えない。
【００３５】
寝床本体３の床面部１に載置されるクッション部材５は、図１に示すように、例えば、ポリエステル製等の外カバー１７内に綿等を封入して、所定の厚みを備えた円形に形成されている。このクッション部材５の周縁部における左右の位置には、小片１８を介して雄ボタン１９（２０）を取り付けてある。また、寝床本体３の床面部１には、これに対応して、床面部１の周縁部の２箇所に、雌ボタン２０（１９）を取り付けてある。そして、クッション部材５の雄ボタン１９（２０）を床面部１の雌ボタン２０（１９）に嵌め込んで、クッション部材５を寝床本体３の床面部１にしっかりと固定している。
【００３６】
尚、図に示すクッション部材５は、所定の厚みを備えた円形に形成されているが、この構成に限定されることはない。例えば、寝床本体３の床面部１の形状に合わせてクッション部材５を四角形とする等、ペットＰがクッション部材５の上に寝そべってリラックスすることができれば、クッション部材５をどのような形状にしても差し支えない。
【００３７】
そして、寝床本体３には、図２・図４に示すように、ペットＰが寝床本体３に寝そべっている状態で、ペットＰが楽な姿勢で頭部を乗せられる枕部６を取り付けてある。この枕部６は、例えば、ポリエステル製等の外カバー２１内に綿等を封入して、所定の厚み・長さ・幅を備え、寝床本体３の床面部１の輪郭に合わせて、若干湾曲して形成されている。この枕部６は、寝床本体３の開放部４の位置に合わせて取り付けられている。
【００３８】
枕部６の固定手段は、例えば、ベルト２２を用いる。具体的には、図１に示すように、枕部６の内側の上縁部から所定の長さのベルト２２を延設する。このベルト２２の先端部の下面には、雄ボタン２３（２４）を取り付けてある。また、枕部６の内側の下縁部には、雌ボタン２４（２３）を取り付けてある。
【００３９】
一方、寝床本体３の床面部１における周縁部に、スリット部２５を設ける。このスリット部２５は、寝床本体３における開放部４の位置に合わせて設けられている。そして、枕部６のベルト２２を寝床本体３のスリット部２５に上方から挿入してスリット部２５を通過させ、寝床本体３の開放部４の下側部分に巻き付けた状態で、ベルト２２の先端に取り付けた雄ボタン２３（２４）を、枕部６の下縁部に取り付けた雌ボタン２４（２３）に嵌め込んで寝床本体３に枕部６を固定するのである。
【００４０】
この枕部６は、図４に示すように、ペットＰが寝床本体３に寝そべっている状態で、ペットＰが楽な姿勢で頭部を乗せられる高さと幅を備えている。特に、枕部６は、図５に示すように、ペットＰがクッション部材５に寝そべっている状態のクッション部材５の座面よりも高くなる厚みＨを備えるように形成されている。
【００４１】
また、枕部６は、寝床本体３の開放部４の下側部分と程同じ高さを備えている。このように、枕部６が適度な高さを備えているため、ペットＰがクッション部材５に寝そべっている状態で寝床本体３の開放部４から頭部を外に出したときに、顎周辺部を楽な姿勢で枕部６に乗せることが可能となり、ペットＰがリラックスした状態で心地好く休息できるのである。
【００４２】
尚、寝床本体３の床面部１にクッション部材５が配置されておらず、ペットＰが寝床本体３の床面部１に直接的に寝そべっているときは、枕部６は、床面部１の座面よりも高くなる厚みＨを備えるように形成されている。また、図に示す枕部６は、寝床本体３の周壁部２の外側に取り付けられているが、この構成に限定されることはなく、周壁部２の内側に枕部６を取り付けても良い。
【００４３】
この他、寝床本体３は、ペットＰが寝床本体３に寝そべっている状態の寝床本体３内の空間を閉じる屋根部材７を備えている。屋根部材７は、図１に示すように、例えば、ポリエステル製等の外カバー２６内に、ウレタンフォーム等の芯材を封入して、円錐状に形成されている。
【００４４】
そして、図１・図２に示すように、屋根部材７の内周縁部に雄ファスナー２７（２８）を付設し、寝床本体３の周壁部２における外側上縁部に、雌ファスナー２８（２７）を付設してある。そして、屋根部材７の内周縁部に付設した雄ファスナー２７（２８）を、寝床本体３の周壁部２における外側上縁部に付設した雌ファスナー２８（２７）に噛み合わせて、寝床本体３の周壁部２に屋根部材７を取り付けるのである。
【００４５】
尚、図に示す屋根部材７と寝床本体３は、雄ファスナー２７と雌ファスナー２８を介して取り付けられているが、この構成に限定されることはない。例えば、屋根部材７と寝床本体３を、ボタン止めする等、どのような固定手段を用いても差し支えない。
【産業上の利用可能性】
【００４６】
本発明に係るペット用の寝床は、主として犬や猫等が心地好く休息するものであるが、犬や猫等に限らず、室内で飼われる動物としてのペットＰに広く適用することができる。
【図面の簡単な説明】
【００４７】
【図１】ペット用の寝床が、クッション部材を備えた寝床本体と、寝床本体に取り付けた枕部と屋根部材により構成されることを説明した分解斜視図である。
【図２】クッション部材を備えた寝床本体の開放部の位置に、枕部を取り付けた状態の斜視図である。
【図３】寝床本体が、外周布と内周布の間に形成された空間部に筒状の芯材を挿入して構成されることを説明した分解斜視図である。
【図４】クッション部材を備えた寝床本体に、枕部と屋根部材を取り付け、ペットが寝床本体に体を横たえた状態で、頭部を枕部に乗せている使用状態の斜視図である。
【図５】クッション部材を備えた寝床本体に、枕部と屋根部材を取り付け、ペットが寝床本体に体を横たえた状態で、頭部を枕部に乗せている使用状態であり、枕部は、ペットがクッション部材に寝そべっている状態のクッション部材の座面よりも高くなる厚みを備えている構成を説明した側断面図である。
【図６】従来のペット用の寝床の使用状態を示したもので、（ａ）はベッド基体の切り欠き部分にペットが顎周辺部を乗せている状態の斜視図、（ｂ）はベッド基体の切り欠き部分にペットが顎周辺部を乗せている状態の側断面図である。
【符号の説明】
【００４８】
Ｐ…ペット
１…床面部                      ２…周壁部
３…寝床本体                    ４…開放部
５…クッション部材              ６…枕部
７…屋根部材                    ８…外カバー
９…芯材                      １０…外周布
１１…内周布                    １２…帯片
１３…床面布                    １４…雄ファスナー
１５…雌ファスナー              １６…空間部
１７…外カバー                  １８…小片
１９…雄ボタン                  ２０…雌ボタン
２１…外カバー                  ２２…ベルト
２３…雄ボタン                  ２４…雌ボタン
２５…スリット部                ２６…外カバー
２７…雄ファスナー              ２８…雌ファスナー
１００…ベッド基体              １０１…切り欠き部分
【図１】
2005323553.tif 000003
【図２】
2005323553.tif 000004
【図３】
2005323553.tif 000005
【図４】
2005323553.tif 000006
【図５】
2005323553.tif 000007
【図６】
2005323553.tif 000008